(57)【特許請求の範囲】
【請求項１】
捕球面の裏側の手甲部において手の甲を露出するための刳り抜き部を形成し、該刳り抜き部の手首側に手口バンドを配置し、前記手口バンドの一方を親指側周縁部に取り付け、他端の自由端部を小指側周縁部に革紐により縛着可能にした野球用捕球具において、
指先方向に向けて幅広とした前記自由端部に複数個の革紐挿通孔を設け、
該複数個の革紐挿通孔と前記小指側周縁部に設けた複数個の革紐挿通孔とを組み合わせて、前記革紐挿通孔同士に革紐を挿通し縛着することにより、前記手口バンドを手首方向の任意の位置に調整することを可能としたことを特徴とする野球用捕球具。
【請求項２】
前記手口バンドの自由端部には指先逆方向に張出部を設けたことを特徴とする請求項１に記載の野球用捕球具。
【請求項３】
前記手口バンドの自由端部には縦横方向に複数個の革紐挿通孔を設けたことを特徴とする請求項１又は２に記載の野球用捕球具。
【請求項４】
前記手口バンドの自由端部は前記小指側周縁部に対し長手方向に位置をずらせて、前記革紐挿通孔同士を組み付けることにより、前記手口バンドの長さの調整を可能としたことを特徴とする請求項１〜３の何れか１つの請求項に記載の野球用捕球具。
【発明の詳細な説明】
【技術分野】
【０００１】
本発明は、野球用において、一塁手を含む内野手や、外野手が使用する野球用捕球具に関するものである。
【背景技術】
【０００２】
例えば、野球用グラブは特許文献１、２に示すように、種々のものが知られているが、試合等で使用することができる野球用グラブには、公認野球規則により大きさ等の様々な規則が設けられている。
【０００３】
例えば、内野手、外野手用のグラブでは、縦方向の大きさについては、指の最先端からボール捕球個所を通ってグラブの下端までの長さが制約されている。つまり、グラブの捕球面においては上端から下端までの長さが或る大きさ以下と規定されている。また、捕手や一塁手のミットも同様に大きさが規定されている。
【０００４】
図５はグラブ１を通常の状態で手Ｈに嵌めた状態の説明図である。捕球面の裏側の手甲部には手口バンド２が設けられており、その長さは革紐挿通孔の組合わせを選択して革紐を挿通し縛ることにより、手Ｈの甲に対するグラブの密着度を調整することができる。
【０００５】
特に外野手や一塁手は、図６に示すようにグラブ１やファーストミットを手Ｈに浅く装着することにより、少しでも遠方の打球や送球に届くようにして捕球する努力をしている。
【先行技術文献】
【特許文献】
【０００６】
【特許文献１】特開２００３−２６５６７１号公報
【特許文献２】特許第３０８１５３９号公報
【発明の概要】
【発明が解決しようとする課題】
【０００７】
しかし、図６に示すようにグラブ１に手Ｈを浅く装着すると、手口バンド２は手Ｈの甲に対し十分に機能せず、手Ｈのグラブ１に対する密着感や安定感が乏しくなり、グラブ１が手Ｈからすっぽ抜けたり、捕球ができても落球し易くなるという問題がある。
【０００８】
本発明の目的は、上述の課題を解消し、手を浅く装着しても密着感や安定感が得られる野球用捕球具を提供することにある。
【課題を解決するための手段】
【０００９】
上記目的を達成するための本発明に係る野球用捕球具は、捕球面の裏側の手甲部において手の甲を露出するための刳り抜き部を形成し、該刳り抜き部の手首側に手口バンドを配置し、前記手口バンドの一方を親指側周縁部に取り付け、他端の自由端部を小指側周縁部に革紐により縛着可能にした野球用捕球具において、指先方向に向けて幅広とした前記自由端部に複数個の革紐挿通孔を設け、該複数個の革紐挿通孔と前記小指側周縁部に設けた複数個の革紐挿通孔とを組み合わせて、前記革紐挿通孔同士に革紐を挿通し縛着することにより、前記手口バンドを手首方向の任意の位置に調整することを可能としたことを特徴とする。
【発明の効果】
【００１０】
本発明に係る野球用捕球具によれば、手口バンドの自由端部を指先方向に幅広くすることにより、従来の手口バンドの位置よりも下方において手の甲に接するようにすることができるので、手を浅く装着しても密着感や安定感を得られる。
【００１１】
また、手口バンドの自由端部を指先逆方向に張り出すことで、野球用捕球具が手からすっぽ抜けることを防止することができる。
【図面の簡単な説明】
【００１２】
【図１】実施例の野球用グラブの手甲部の斜視図である。
【図２】手口バンドの正面図である。
【図３】手口バンドを上げた状態の手甲部の正面図である。
【図４】手口バンドを下げた状態の手甲部の正面図である。
【図５】従来の野球用グラブを通常に装着した状態の説明図である。
【図６】従来の野球用グラブを浅く装着した状態の説明図である。
【発明を実施するための形態】
【００１３】
本発明を図１〜図４に図示の実施例に基づいて詳細に説明する。
図１は実施例における野球用グラブの斜視図を示している。野球用グラブ１０は天然皮革又は合成皮革から成り、ボールを捕球する捕球面は１枚の皮革で造られ、手を入れる裏側の手甲部は、親指、人差し指、中指、薬指、小指の各指を挿入するための指挿入部１１〜１５が縫製により造られている。
【００１４】
親指を挿入する親指挿入部１１と人差し指を挿入する人差し指挿入部１２との間には、干字形、或いは革紐により編まれたウェブ１６が設けられている。また、革紐１７により指挿入部１１〜１５の先端部同士及び先端部とウェブ１６とを連結することにより、各指挿入部１１〜１５が分離せずに、グラブ形状が保持されている。
【００１５】
また、親指挿入部１１を下方に延在した部分には親指側周縁部１８が設けられ、小指挿入部１５を下方に延在した部分には小指側周縁部１９が設けられ、これらの周縁部１８、１９と指挿入部１２〜１４の根元部とにより手の甲が露出する刳り抜き部２０が設けられている。
【００１６】
この刳り抜き部２０の手首側には、端部を自由端部２１とした手口バンド２２の根元が親指側周縁部１８に縫い付けられて配置されている。手口バンド２２の先端である自由端部２１は、図２に示すようにグラブ１０の指先方向に幅広の略Ｌ字形状とした延在部２３が設けられている。
【００１７】
また手口バンドの自由端部２１であって延在部２３の反対側には、指先逆方向に張り出した張出部２４が形成されている。更に、延在部２３を含む自由端部２１には、例えば縦４列、横４列の複数個の革紐挿通孔２５が上下左右に等間隔に設けられている。なお、手口バンド２２の裏側には手の甲に対する当たりを柔らかくするためにムートン等の生地が縫い付けられている。
【００１８】
また、手口バンド２２の先端が重なるグラブ１０の小指側周縁部１９には例えば縦３列、横２列の複数個の革紐挿通孔２６が上下左右に等間隔に設けられている。
【００１９】
手口バンド２２の自由端部２１を小指側周縁部１９の下側に挿し込み、縦横２個ずつの革紐挿通孔２５、２６を組み合わせて革紐２７を挿通して縛ることにより、手口バンド２２の自由端部２１を小指側周縁部１９に取り付けることができ、その取付位置は使用者の手の大きさや好み等により調整することができる。
【００２０】
また、自由端部２１の革紐挿通孔２５は手口バンド２２の縦方向の位置を選択することにより、手Ｈをグラブ１０に対して、浅く装着するか深く装着することが選択できる。更に、自由端部２１の革紐挿通孔２５は手口バンド２２の長手方向、つまり横方向の位置を選択することにより、手口バンド２２の長さを選択することができる。
【００２１】
投手などがグラブ１０に手を浅く装着する必要がない場合には、図３に示すように手口バンド２２の自由端部２１の下端部近傍の革紐挿通孔２５を小指側周縁部１９の革紐挿通孔２５に組み合わせて、手口バンド２２を上げて手首から遠い位置に配置して、革紐２７により縛って連結すればよい。
【００２２】
また、グラブ１０を浅く装着する場合には、図４に示すように手口バンド２２の自由端部２１の延在部２３に設けられた複数個の革紐挿通孔２５と、小指側周縁部１９の複数個の革紐挿通孔２６とを組み合わせて革紐２７を挿通する。つまり、手口バンド２２を下げて、手首に近い位置に配置して連結する。
【００２３】
これにより、グラブ１０に手を浅く装着しても、手口バンド２２の自由端部２１が手の手首近くにまで当接するので、グラブ１０に対する密着感や安定感が増し、遠い打球や送球でも捕球し易くなる。また、張出部２４は必要に応じて設ければよいが、張出部２４を設けることにより、自由端部２１は更に幅広くなり、手の甲に対する密着性が増し、手Ｈからグラブ１０がすっぽ抜けることを防止することができる。
【００２４】
なお、図３に示すようにグラブ１０を装着する場合は、指挿入部１２〜１５のそれぞれに対して、人差し指、中指、薬指、小指の各指を挿入するのに対して、図４に示すようにグラブ１０を装着する場合は、指挿入部１３に人差し指、指挿入部１４に中指、指挿入部１５に薬指及び小指を挿入して使用することが多く、このように指挿入部１２〜１５に対して変則的に使用した方がグラブ１０を浅く装着する場合では、安定感が増すことになる。
【００２５】
また、実施例においては野手のグラブ１０について説明したが、本発明に係る野球用捕球具は一塁手用のファーストミットにも適用することができる。
【符号の説明】
【００２６】
１０  野球用グラブ
１１〜１５  指挿入部
１７、２７  革紐
１８  親指側周縁部
１９  小指側周縁部
２１  自由端部
２２  手口バンド
２３  延在部
２４  張出部
２５、２６  革紐挿通孔
【要約】
【課題】浅く装着しても密着感や安定感がある野球用捕球具を得る。
【解決手段】手甲部の手首側には、端部を自由端部２１とした手口バンド２２が配置され、自由端部２１は指先方向に幅広の延在部２３を持つ略Ｌ字形状とされ、革紐挿通孔２５が設けられている。一方、手口バンド２２の先端が重なる小指側周縁部１９には革紐挿通孔２６が設けられている。
手口バンド２２の自由端部２１を小指側周縁部１９の下側に挿し込み、革紐挿通孔２５、２６を組み合わせて革紐２７を挿通して縛ることにより、自由端部２１を小指側周縁部１９に取り付けることができ、その取付位置は使用者の手の大きさや好み等により調整することができる。
グラブ１０を浅く装着する場合には、延在部２３の革紐挿通孔２５と、小指側周縁部１９の革紐挿通孔２６とを組み合わせて、手口バンド２２を下げて、手首に近い位置に配置して連結する。
【選択図】図４【図１】
0005769220.tif 000002
【図２】
0005769220.tif 000003
【図３】
0005769220.tif 000004
【図４】
0005769220.tif 000005
【図５】
0005769220.tif 000006
【図６】
0005769220.tif 000007